(57)【要約】【課題】利用者が複数の貸出物を所定の順序で容易に借り受けることができるスケジュールを利用者に提供することができる貸出情報管理方法および貸出情報管理プログラムを提供すること。【解決手段】図書が返却される返却予定日に係る情報と、利用者が図書を読破する読書ペースに係る情報とに基づいて、シリーズ本の各図書を利用者に順序よく貸し出す貸出スケジュールを作成し、作成された貸出スケジュールを利用者が操作している図書館端末装置１００ａ〜１００ｃに出力し、利用者に提示する。【選択図】      図１
2005031943.tif 000002
【特許請求の範囲】
【請求項１】
利用者に対する貸出物の貸し出しに係る情報を管理する貸出情報管理装置が、
前記貸出物が返却される返却予定日に係る情報に基づいて前記利用者に貸出物を所定の順序にしたがって貸し出す貸出スケジュールを作成する貸出スケジュール作成工程と、
前記貸出スケジュール作成工程により作成された貸出スケジュールを出力する貸出スケジュール出力工程と、
を実行することを特徴とする貸出情報管理方法。
【請求項２】
前記貸出スケジュール作成工程は、前記貸出物が返却される返却予定日に係る情報に基づいて、順序関係を有する一連の貸出物を該順序にしたがって貸し出す貸出スケジュールを作成することを特徴とする請求項１に記載の貸出情報管理方法。
【請求項３】
前記貸出スケジュール作成工程は、前記貸出物が返却される返却予定日に係る情報に基づいて、前記利用者の借り受けに係る所定の条件を満足する前記貸出スケジュールを作成することを特徴とする請求項１または２に記載の貸出情報管理方法。
【請求項４】
前記貸出スケジュール作成工程は、前記貸出物が返却される返却予定日に係る情報に基づいて、前記貸し出しに係る所定の条件を満足する前記貸出スケジュールを作成することを特徴とする請求項１、２または３に記載の貸出情報管理方法。
【請求項５】
利用者に対する貸出物の貸し出しに係る情報を管理する貸出情報管理プログラムであって、
前記貸出物が返却される返却予定日に係る情報に基づいて前記利用者に貸出物を所定の順序にしたがって貸し出す貸出スケジュールを作成する貸出スケジュール作成手順と、
前記貸出スケジュール作成手順により作成された貸出スケジュールを出力する貸出スケジュール出力手順と、
をコンピュータに実行させることを特徴とする貸出情報管理プログラム。
【発明の詳細な説明】
【０００１】
【発明の属する技術分野】
この発明は、利用者に対する貸出物の貸し出しに係る情報を管理する貸出情報管理方法および貸出情報管理プログラムに関し、特に、利用者が複数の貸出物を所定の順序で容易に借り受けることができるスケジュールを利用者に提供することができる貸出情報管理方法および貸出情報管理プログラムに関する。
【０００２】
【従来の技術】
従来、図書館において利用者が図書を借りる場合には、データベースを検索することにより、借りたい図書が所蔵されているかどうかを確認する。そして、所蔵されていると確認できた後、貸出窓口に出向いてその図書を借りる手続きをおこなうことで効率的に所望の図書を借り受けることができる。
【０００３】
データベースの検索は、図書のタイトル、著者名、出版社名などのキーワードを、データベースの端末装置に入力することによりおこなわれる。しかし、この検索の目的は、利用者が借りようとしている図書を探すことにあるので、たとえその図書に関連する図書があったとしても、利用者はそういった有用な情報を得ることができなかった。
【０００４】
そのため、特許文献１には、各図書のデータを著者名などのデータをキーとしてリンクさせ、図書が検索された場合にその図書にリンクされた関連図書の一覧を利用者に提示する図書検索システムが開示されている。また、特許文献２には、利用者の読書傾向を利用者の過去の読書履歴に基づいて分析し、その利用者の読書傾向に沿った図書の情報を提供する読書支援システムが開示されている。
【０００５】
この特許文献１または２の従来技術では、所望の図書に関連する図書情報の提供を受けることができるが、いざそれらの図書を借りようとしても、すでに図書が貸し出されている場合があり、わざわざ図書館に出向いたとしても無駄足になることがあった。
【０００６】
そこで、特許文献３には、サーバ装置が貸出物の貸し出し状況を記憶しておき、利用者がクライアント装置を操作して、サーバ装置にインターネットを介して接続することにより、貸出物の貸し出し状況を確認することができるレンタル方法が開示されている。
【０００７】
【特許文献１】
特開２００３−９１５４８号公報
【特許文献２】
特開２０００−２９８９５号公報
【特許文献３】
特開２０００−２６８０９９号公報
【０００８】
【発明が解決しようとする課題】
しかしながら、特許文献３の従来技術では、図書の貸し出し状況の一覧が提示されるのみであり、複数の図書をある順序にしたがって借りようとする場合には、貸し出し状況を考慮して、各図書を借りるスケジュールを利用者自らが考え、図書の貸し出し予約をおこなう必要があり、利用者の負担が大きいという問題があった。
【０００９】
具体的には、利用者が、シリーズ本や同一著者の図書など、複数の図書を順番を決めて借りようとする場合に、在庫状況を各図書ごとに確認し、在庫がない場合には各図書の返却予定日を考慮して、所望の図書を借り受けるスケジュールを立てる必要があり、不便であるという問題があった。
【００１０】
特に、人気の高い複数の図書を借りる場合には、それらの図書がすでに貸出中である可能性が高く、利用者がそれらの図書の返却予定日をすべて確認し、各図書を順に借りることができるかどうかを確認することは難しいという問題があった。
【００１１】
この発明は、上記問題（課題）を解消するためになされたものであり、利用者が複数の貸出物を所定の順序で容易に借り受けることができるスケジュールを利用者に提供することができる貸出情報管理方法および貸出情報管理プログラムを提供することを目的とする。
【００１２】
【課題を解決するための手段】
上記目的を達成するために、本発明は、利用者に対する貸出物の貸し出しに係る情報を管理する貸出情報管理装置が、前記貸出物が返却される返却予定日に係る情報に基づいて前記利用者に貸出物を所定の順序にしたがって貸し出す貸出スケジュールを作成する貸出スケジュール作成工程と、前記貸出スケジュール作成工程により作成された貸出スケジュールを出力する貸出スケジュール出力工程と、を実行することを特徴とする。
【００１３】
この発明によれば、貸出物が返却される返却予定日に係る情報に基づいて、利用者に貸出物を所定の順序にしたがって貸し出す貸出スケジュールを作成し、作成された貸出スケジュールを出力することとしたので、利用者が複数の貸出物を所定の順序で容易に借り受けることができるスケジュールを利用者に提供することができる。
【００１４】
また、本発明は、前記貸出スケジュール作成工程は、前記貸出物が返却される返却予定日に係る情報に基づいて、順序関係を有する一連の貸出物を該順序にしたがって貸し出す貸出スケジュールを作成することを特徴とする。
【００１５】
この発明によれば、貸出物が返却される返却予定日に係る情報に基づいて、順序関係を有する一連の貸出物を、その順序にしたがって貸し出す貸出スケジュールを作成することとしたので、利用者が順序関係を有する一連の貸出物をその順序にしたがって容易に借り受けることができるスケジュールを利用者に提供することができる。
【００１６】
また、本発明は、前記貸出スケジュール作成工程は、前記貸出物が返却される返却予定日に係る情報に基づいて、前記利用者の借り受けに係る所定の条件を満足する前記貸出スケジュールを作成することを特徴とする。
【００１７】
この発明によれば、貸出物が返却される返却予定日に係る情報に基づいて、利用者の借り受けに係る所定の条件を満足する貸出スケジュールを作成することとしたので、利用者の読書ペースなどを考慮した貸出物の借り受けに係る所定の条件の下で、利用者が複数の貸出物を所定の順序で容易に借り受けることができるスケジュールを利用者に提供することができる。
【００１８】
また、本発明は、前記貸出スケジュール作成工程は、前記貸出物が返却される返却予定日に係る情報に基づいて、前記貸し出しに係る所定の条件を満足する前記貸出スケジュールを作成することを特徴とする。
【００１９】
この発明によれば、貸出物が返却される返却予定日に係る情報に基づいて、貸し出しに係る所定の条件を満足する貸出スケジュールを作成することとしたので、貸出物を貸し出す際の制限条件などの貸し出しに係る所定の条件の下で、利用者が複数の貸出物を所定の順序で容易に借り受けることができるスケジュールを利用者に提供することができる。
【００２０】
また、本発明は、利用者に対する貸出物の貸し出しに係る情報を管理する貸出情報管理プログラムであって、前記貸出物が返却される返却予定日に係る情報に基づいて前記利用者に貸出物を所定の順序にしたがって貸し出す貸出スケジュールを作成する貸出スケジュール作成手順と、前記貸出スケジュール作成手順により作成された貸出スケジュールを出力する貸出スケジュール出力手順と、をコンピュータに実行させることを特徴とする。
【００２１】
この発明によれば、貸出物が返却される返却予定日に係る情報に基づいて、利用者に貸出物を所定の順序にしたがって貸し出す貸出スケジュールを作成し、作成された貸出スケジュールを出力することとしたので、利用者が複数の貸出物を所定の順序で容易に借り受けることができるスケジュールを利用者に提供することができる。
【００２２】
また、本発明は、利用者に対する貸出物の貸し出しに係る情報を管理する貸出情報管理装置であって、前記貸出物が返却される返却予定日に係る情報に基づいて前記利用者に貸出物を所定の順序にしたがって貸し出す貸出スケジュールを作成する貸出スケジュール作成手段と、前記貸出スケジュール作成手段により作成された貸出スケジュールを出力する貸出スケジュール出力手段と、を備えたことを特徴とする。
【００２３】
この発明によれば、貸出物が返却される返却予定日に係る情報に基づいて、利用者に貸出物を所定の順序にしたがって貸し出す貸出スケジュールを作成し、作成された貸出スケジュールを出力することとしたので、利用者が複数の貸出物を所定の順序で容易に借り受けることができるスケジュールを利用者に提供することができる。
【００２４】
【発明の実施の形態】
以下に添付図面を参照して、この発明に係る貸出情報管理方法および貸出情報管理プログラムの好適な実施の形態を詳細に説明する。なお、本実施の形態では、図書館に設置された図書館端末装置を操作している利用者に対して、貸し出しに係る情報を提供する貸出情報管理システムに本発明を適用した場合を示すこととする。
【００２５】
まず、本実施の形態に係る貸出情報管理システムの構成について説明する。図１は、本実施の形態に係る貸出情報管理システムの構成を示す機能ブロック図である。同図に示すように、この貸出情報管理システムは、図書館に設置された各図書館端末装置１００ａ〜１００ｃと貸出情報管理装置１０２とが、ＬＡＮ１０１を介して接続されている。また、各利用者が有する利用者端末装置１０３ａ〜１０３ｃと貸出情報管理装置１０２とが、公衆回線１０４を介して接続されている。
【００２６】
図書館端末装置１００ａ〜１００ｃは、図書館の利用者が貸出情報管理装置１０２にアクセスして、さまざまな図書の貸し出しに係る情報などを取得する端末装置である。利用者端末装置１０３ａ〜１０３ｃは、図書館の利用者が電子メールの送受信をおこなうことができる電子メール送受信ソフトウェアを搭載した携帯電話やパーソナルコンピュータなどの端末装置であり、貸出情報管理装置１０２が送信した電子メールの通知などを受信することができる。
【００２７】
貸出情報管理装置１０２は、本発明に係る装置であり、貸し出した図書の情報を管理するとともに、利用者に図書の貸し出し状況に係る情報を提供し、さらに図書の貸し出し予約を受け付ける管理装置である。
【００２８】
この貸出情報管理装置１０２は、単に上記のサービスを提供するだけでなく、利用者が検索した図書に関連する図書を複数抽出して、抽出された図書を利用者が所定の順番にしたがって借り受けるスケジュール（図書の貸出スケジュール）を作成し、利用者に提示する。
【００２９】
具体的には、利用者が検索した図書に関連する図書で、シリーズ本などの順序関係を有する一連の図書を順に貸し出すことができる貸出スケジュールを、貸出中である図書の返却予定日を考慮して作成し、それを利用者に提示する処理をおこなう。
【００３０】
これにより、利用者は、複数の図書を所定の順番で借りようとする場合に、各図書の貸出状況を調べながら、どのようなスケジュールで借りるかを自ら考える手間を省くことができ、容易に図書を借り受けることができる。
【００３１】
図１に示すように、この貸出情報管理装置１０２は、インターフェース部１０５、入力部１０６、表示部１０７、記憶部１０８および制御部１０９を有する。インターフェース部１０５は、ＬＡＮ１０１を介して図書館端末装置１００ａ〜１００ｃと、または、公衆回線１０４を介して利用者端末装置１０３ａ〜１０３ｃとデータの授受をおこなうネットワークインターフェースである。
【００３２】
入力部１０６は、キーボードやマウスなどの入力デバイスであり、表示部１０７は、ディスプレイなどの表示デバイスである。記憶部１０８は、ハードディスク装置などの記憶デバイスであり、この記憶部１０８には、利用者情報１０８ａ、図書情報１０８ｂ、利用者読書ペース情報１０８ｃ、返却予定日情報１０８ｄおよび予約情報１０８ｅが記憶されている。
【００３３】
利用者情報１０８ａは、図書館端末装置１００ａ〜１００ｃを利用して図書の検索をおこなった利用者の検索に係る情報を記憶したデータである。図２は、図１に示した利用者情報１０８ａの一例を示す図である。同図に示すように、この利用者情報１０８ａは、利用者ＩＤ、利用者名、検索実行日、検索キーワード、検索図書ＩＤ、貸出フラグおよび貸出日の各項目を有する。
【００３４】
利用者ＩＤは、各利用者に付与された識別ＩＤであり、利用者名は、利用者の氏名である。検索実行日は、図書の検索を実行した日付であり、検索キーワードは、その検索を実行した際に利用者が入力したキーワードである。また、検索図書ＩＤは、そのキーワードにより検索された図書の識別ＩＤであり、貸出フラグは、検索された図書が貸し出されたかどうかを示すフラグであり、貸出日は、検索された図書の貸し出しがおこなわれた日の日付である。
【００３５】
図書情報１０８ｂは、図書館に所蔵されている図書の各種情報を記憶したデータである。図３は、図１に示した図書情報１０８ｂの一例を示す図である。同図に示すように、この図書情報１０８ｂは、図書ＩＤ、図書名、シリーズ名、著者名、ジャンル名、ページ数、発行日および在庫数の各項目を有する。
【００３６】
図書ＩＤは、各図書に付与された識別ＩＤであり、利用者情報１０８ａの検索図書ＩＤの識別ＩＤと対応するものである。図書名は、各図書の題名であり、シリーズ名は、各図書がシリーズ本である場合のシリーズの名称であり、著者名は、著者の氏名である。
【００３７】
ここで、図書がシリーズ本である場合は、図書ＩＤの番号部分は、１巻から昇順に割り当てられた番号となる。たとえば、図書名が「日本の歴史１」、「日本の歴史２」および「日本の歴史３」である図書は、「シリーズ歴史」という名称のシリーズ本であり、図書ＩＤは、「ａ１０００１１」、「ａ１０００１２」および「ａ１０００１３」というように、１巻から３巻まで昇順に番号が割り当てられる。これにより、シリーズの各図書の前後関係を容易に調べることができる。
【００３８】
また、ジャンル名は、各図書が属するジャンルの名称であり、ページ数は、各図書の総ページ数であり、発行日は、図書が発行された日の日付である。在庫数は、貸し出されずに図書館に残っていて、すぐに貸し出すことのできる各図書の在庫数である。
【００３９】
ここで、シリーズ名、著者名およびジャンル名の欄には、括弧［］で括られた文字および数字からなる識別ＩＤが記憶されている。この識別ＩＤを指定することにより、シリーズ名、著者名およびジャンル名を一意に選択することができる。
【００４０】
利用者読書ペース情報１０８ｃは、利用者が図書を読破する読書ペースを設定したデータである。図４は、図１に示した利用者読書ペース情報１０８ｃの一例を示す図である。同図に示すように、この利用者読書ペース情報１０８ｃは、利用者ＩＤ、最小日数および最大ページ数の各項目を有する。
【００４１】
利用者ＩＤは、各利用者を識別する識別ＩＤであり、利用者情報１０８ａの利用者ＩＤと対応するものである。最小日数は、利用者が一冊の図書を読み終えるのに必要な最小日数であり、最大ページ数は、利用者が一週間に読むことのできる最大ページ数である。最小日数および最大ページ数の情報は、利用者が図書館端末装置１００ａ〜１００ｃを操作して、あらかじめ設定することができる。
【００４２】
返却予定日情報１０８ｄは、各図書の返却予定日を記憶したデータである。図５は、図１に示した返却予定日情報１０８ｄの一例を示す図である。同図に示すように、この返却予定日情報１０８ｄは、利用者ＩＤ、貸出図書ＩＤ、貸出日、返却予定日および変更後返却予定日の各項目を有する。
【００４３】
利用者ＩＤは、各利用者を識別する識別ＩＤであり、利用者情報１０８ａの利用者ＩＤと対応するものである。貸出図書ＩＤは、利用者に貸し出した図書を識別する図書ＩＤである。貸出日は、図書を貸し出した日付であり、返却予定日は、貸し出された図書が返却される予定日の日付である。
【００４４】
返却予定日は、通常、図書館の規定で定められた返却期限であり、自動的に設定される。ただし、この返却期限は利用者が延期することも可能である。変更後返却予定日は、利用者により返却期限が延期され、変更された返却予定日である。
【００４５】
予約情報１０８ｅは、利用者により予約された図書の予約情報を記憶したデータである。図６は、図１に示した予約情報１０８ｅの一例を示す図である。同図に示すように、この予約情報１０８ｅは、利用者ＩＤ、予約図書ＩＤ、貸出日、返却予定日および返却後返却予定日の各項目を有する。
【００４６】
利用者ＩＤは、各利用者を識別する識別ＩＤであり、利用者情報１０８ａの利用者ＩＤと対応するものである。予約図書ＩＤは、利用者により予約された図書を識別する図書ＩＤである。貸出日は、予約されている図書を他の利用者に貸し出した日付であり、返却予定日情報１０８ｄの貸出日に対応するものである。
【００４７】
返却予定日は、予約された図書が返却される予定日の日付であり、返却予定日情報１０８ｄの返却予定日に対応するものである。変更後返却予定日は、利用者により返却期限が延期され、変更された返却予定日であり、返却予定日情報１０８ｄの変更後返却予定日に対応するものである。
【００４８】
図１の説明に戻ると、制御部１０９は、貸出情報管理装置１０２を全体制御する制御部であり、予約受付部１０９ａ、貸出スケジュール作成部１０９ｂ、貸出スケジュール出力部１０９ｃおよび通知出力部１０９ｄを有する。
【００４９】
予約受付部１０９ａは、利用者が図書館端末装置１００ａ〜１００ｃを操作して図書の予約を申し込んだ場合に、その情報を取得して予約を受け付ける受付部である。具体的には、図書館端末装置１００ａ〜１００ｃから予約をおこなう利用者の情報や予約する図書の情報などを取得して、予約情報１０８ｅに記憶する処理をおこなう。
【００５０】
図書の貸出期間はあらかじめ図書館の規定で定められているため、図書の返却日は貸出日が確定すると自動的に設定されるが、利用者は、図書館端末装置１００ａ〜１００ｃを操作して返却日を延期することができる。その場合、予約受付部１０９ａは、変更された返却日の情報を図書館端末装置１００ａ〜１００ｃから受け付け、返却予定日情報１０８ｄおよび予約情報１０８ｅの変更後返却予定日の情報を記憶する。
【００５１】
また、予約受付部１０９ａは、利用者が図書館端末装置１００ａ〜１００ｃを操作して図書の検索をおこなう場合に、利用者により入力されたキーワード等の情報を受け付け、利用者情報に１０８ａにその情報を記憶する。そして、その情報に基づいて図書の検索をおこない、結果を図書館端末装置１００ａ〜１００ｃに出力する処理などをおこなう。
【００５２】
貸出スケジュール作成部１０９ｂは、図書が返却される返却予定日の情報に基づいて、利用者が検索をおこなった図書と関連する一連の図書を、所定の順序にしたがって利用者に貸し出す貸出スケジュールを作成する作成部である。
【００５３】
具体的には、利用者が過去に検索した図書と同一シリーズの図書を、図書情報１０８ｂのシリーズ名のデータを基にして検索する。さらに、貸出スケジュール作成部１０９ｂは、検索された同一シリーズの各図書の在庫数、および、貸出中の図書の返却予定日の情報を取得する。また、利用者があらかじめ各自の読書ペースを設定した情報を、利用者読書ペース情報１０８ｃから取得する。
【００５４】
そして、取得した在庫数、返却予定日、および、利用者の読書ペースの情報を基にして、同一シリーズの各図書を利用者に貸し出す貸出スケジュール（利用者の読書スケジュール）を作成する処理をおこなう。
【００５５】
貸出スケジュール出力部１０９ｃは、貸出スケジュール作成部１０９ｂにより作成された貸出スケジュールを、利用者が操作している図書館端末装置１００ａ〜１００ｃに出力する出力部である。
【００５６】
通知出力部１０９ｄは、利用者が予約した図書の貸出予定日が変更になった場合に、利用者端末装置１０３ａ〜１０３ｃにその変更を知らせる通知を出力する出力部である。この貸出予定日の変更は、利用者が予約した図書を借りている他の利用者が、返却期限の延長をおこなった場合に生じる。このように変更通知を送信することにより、利用者にその図書の予約の再検討を促すことができる。
【００５７】
次に、図１に示した貸出情報管理装置１０２がおこなう図書の貸出処理の処理手順について説明する。図７は、図１に示した貸出情報管理装置１０２がおこなう図書の貸出処理の処理手順を示すフローチャートである。
【００５８】
同図に示すように、まず、貸出情報管理装置１０２は、利用者が図書館端末装置１００ａ〜１００ｃを操作して入力した図書検索のためのキーワードを受け付け、それを利用者情報１０８ａに記憶する（ステップＳ７０１）。
【００５９】
そして、受け付けたキーワードを基にして図書情報１０８ｂから図書を検索し、検索結果を利用者の操作している図書館端末装置１００ａ〜１００ｃに出力する（ステップＳ７０２）。利用者は、その検索結果をみて、その中から借りたい図書を選択するか、あるいは、新たなキーワードを入力して図書の再検索をおこなう。
【００６０】
続いて、貸出情報管理装置１０２は、利用者が図書館端末装置１００ａ〜１００ｃを操作しておこなった図書の選択あるいは図書の再検索要求を受け付ける（ステップＳ７０３）。そして、図書の再検索要求があったかどうかを調べ（ステップＳ７０４）、図書の再検索要求があった場合には（ステップＳ７０４，Ｙｅｓ）、ステップＳ７０１に移行して、再度検索のためのキーワードを受け付ける処理をおこなう。
【００６１】
図書の再検索要求がなく、借りたい図書の選択を受け付けた場合には（ステップＳ７０４，Ｎｏ）、指定された図書が貸出中であるかどうかを調べる（ステップＳ７０５）。指定された図書が貸出中でない場合には（ステップＳ７０５，Ｎｏ）、ステップＳ７０９に移行する。
【００６２】
指定された図書が貸出中である場合には（ステップＳ７０５，Ｙｅｓ）、貸出中の図書の返却予定日の情報を返却予定日情報１０８ｄから検索し、その検索結果を図書館端末装置１００ａ〜１００ｃに出力する（ステップＳ７０６）。そして、貸出中の図書の予約受け付け処理をおこない（ステップＳ７０７）、図書の予約があったかどうかを調べる（ステップＳ７０８）。
【００６３】
図書の予約がなかった場合は（ステップＳ７０８，Ｎｏ）、ステップＳ７０１に移行して、再度検索のためのキーワードを受け付ける。図書の予約があった場合には（ステップＳ７０８，Ｙｅｓ）、図書情報１０８ｂの該当する図書の在庫数を更新し、さらに、予約された図書およびその図書の返却予定日の情報を返却予定日情報１０８ｄに記憶する処理をおこなう（ステップＳ７０９）。
【００６４】
次に、図１に示した貸出情報管理装置１０２がおこなう貸出スケジュール提供処理の処理手順について説明する。図８および図９は、図１に示した貸出情報管理装置１０２がおこなう貸出スケジュール提供処理の処理手順を示すフローチャート（１）および（２）である。
【００６５】
なお、ここでは、貸出情報管理装置１０２が、シリーズ本を所定の順番で利用者に貸し出す貸出スケジュールを作成する処理について説明することとする。ただし、貸し出す図書は、シリーズ本に限らず、同一著者の図書や同一ジャンルの図書であってもよく、それらの本を所定の順番で貸し出す貸出スケジュールを作成することとしてもよい。
【００６６】
また、この貸出スケジュール提供サービスは、図７に示したような一般的な貸出サービスの利用者に対して提供するものではなく、別途このサービスにログインした利用者に対して提供するものとする。ただし、このサービスの提供は、上記の場合に限定されるものではなく、図７に示した貸出サービスにおいて図書の検索をおこなった際などに同時に提供することとしてもよい。
【００６７】
図８に示すように、まず、貸出情報管理装置１０２は、利用者が図書館端末装置１００ａ〜１００ｃを操作しておこなったログインを受け付ける（ステップＳ８０１）。そして、ログインを受け付けた利用者が過去に検索をおこなった際に入力した検索キーワードの情報を、利用者情報１０８ａから取得し（ステップＳ８０２）、その検索キーワードを用いて図書情報１０８ｂから図書を検索する（ステップＳ８０３）。
【００６８】
検索の際には、検索された図書の在庫数の情報も、図書情報１０８ｂから併せて取得する。また、検索される図書の数に上限を設け、一度に大量の図書が検索されることを防止する。
【００６９】
続いて、検索した図書の中にシリーズ本があるかどうかを調べる（ステップＳ８０４）。シリーズ本があるかどうかは、図書情報１０８ｂのシリーズ名の情報を検索することにより確認することができる。シリーズ本がない場合には（ステップＳ８０４，Ｎｏ）、貸出スケジュール提供処理を終了するメッセージを出力し（ステップＳ８２０）、この貸出スケジュール提供処理を終了する。
【００７０】
シリーズ本がある場合には（ステップＳ８０４，Ｙｅｓ）、シリーズ本の各図書の返却予定日の情報を、返却予定日情報１０８ｄから取得して（ステップＳ８０５）、さらに、利用者の読書ペースの情報を利用者読書ペース情報１０８ｃから取得する（ステップＳ８０６）。
【００７１】
続いて、取得した図書の返却予定日の情報および利用者の読書ペースの情報から利用者に対する貸出スケジュールの候補を作成する処理をおこなう（ステップＳ８０７）。ここでは、利用者がシリーズ本である一連の図書を、１巻から順に借りることができる貸出スケジュールの候補を作成する。貸出スケジュールの候補の作成処理については、後に例をあげて具体的に説明する。
【００７２】
そして、貸出情報管理装置１０２は、作成した貸出スケジュールの候補を利用者が操作している図書館端末装置１００ａ〜１００ｃに出力する（ステップＳ８０８）。その後、利用者からシリーズ本の再検索要求を受け付けたかどうかを調べる（ステップＳ８０９）。
【００７３】
利用者から再検索要求を受け付けた場合には（ステップＳ８０９，Ｙｅｓ）、前回検索された図書を除外した残りの図書の中から、検索キーワードを用いて再度図書を検索し（ステップＳ８１６）、ステップＳ８０４に移行する。
【００７４】
利用者からの再検索要求がなかった場合には（ステップＳ８０９，Ｎｏ）、利用者から貸出スケジュールの選択情報を受け付けたかどうかを調べる（ステップＳ８１０）。この選択情報は、図書館端末装置１００ａ〜１００ｃにより送信されたものであり、貸出スケジュールの候補の中から利用者が選択した貸出スケジュールの情報である。
【００７５】
貸出スケジュールの選択が利用者によりなされずに、選択情報を受け付けなかった場合には（ステップＳ８１０，Ｎｏ）、この貸出スケジュール提供処理を終了する。貸出スケジュールの選択情報を受け付けた場合には（ステップＳ８１０，Ｙｅｓ）、貸出スケジュールに含まれている図書の予約の情報を予約情報１０８ｅから検索する（ステップＳ８１１）。
【００７６】
そして、検索した結果を基にして、貸出スケジュールに含まれている図書を貸出スケジュール通りに貸し出すことができるかどうかを調べる（ステップＳ８１２）。この処理は、上記処理をおこなっている間に、貸出スケジュールに含まれている図書が他の利用者により予約され、貸し出しが不可能になっていないかを確認するためにおこなわれる。
【００７７】
貸出スケジュール通りに貸し出すことができない場合には（ステップＳ８１２，Ｎｏ）、貸出不可メッセージを利用者の操作する図書館端末装置１００ａ〜１００ｃに出力し（ステップＳ８１７）、ステップＳ８１６に移行して、前回検索された図書を除外した残りの図書の中から再度図書を検索する。
【００７８】
貸出スケジュールに含まれる図書の予約状況に変化がなく、貸出スケジュール通りに貸し出すことができる場合には（ステップＳ８１２，Ｙｅｓ）、利用者からの貸出スケジュールの確定要求を受け付けたかどうかを調べる（ステップＳ８１３）。
【００７９】
貸出スケジュールの確定要求を受け付けなかった場合には（ステップＳ８１３，Ｎｏ）、利用者により図書館端末装置１００ａ〜１００ｃを操作して送信された貸出スケジュールの修正情報を受け付ける（ステップＳ８１８）。この修正情報は、貸出スケジュールに含まれる図書の貸出日の変更や、シリーズ本である図書の貸し出す順番の入れ替え、または、特定の図書の追加や除外などを指示した情報である。
【００８０】
そして、貸出情報管理装置１０２は、修正情報に基づいて貸出スケジュールの修正をおこなう（ステップＳ８１９）。その後、ステップＳ８１１に移行して、修正された貸出スケジュールに含まれている図書の予約の情報を予約情報１０８ｅから検索する処理をおこなう。
【００８１】
ステップＳ８１３において、貸出スケジュールの確定要求を受け付けた場合には（ステップＳ８１３，Ｙｅｓ）、確定要求を受け付けた貸出スケジュールに含まれる図書の図書ＩＤや返却予定日などの図書情報を、返却予定日情報１０８ｄおよび予約情報１０８ｅに記憶する（ステップＳ８１４）。
【００８２】
その後、貸出スケジュールが確定したことを通知する確定メッセージを、利用者が操作する図書館端末装置１００ａ〜１００ｃに出力し、この貸出スケジュール提供処理を終了する。
【００８３】
次に、図９のステップＳ８０７で説明した貸出スケジュールの候補の作成処理について具体的に説明する。図１０は、各図書の返却予定日の情報の一例を示す図である。この返却予定日の情報は、図９のステップＳ８０５において取得されたシリーズ本の返却予定日の情報である。この情報は、貸出スケジュールの候補を作成する際に、一時的に用意されるものである。
【００８４】
同図に示すように、この返却予定日の情報は、関連図書ＩＤ、在庫数および複数の返却予定日の情報を有する。関連図書ＩＤは、シリーズに含まれる図書の図書ＩＤであり、在庫数は、貸し出されずに残っている各図書の数であり、図書をその数だけすぐに貸し出すことができることを意味している。また、複数の返却予定日は、各図書が複数貸出中である場合に、それぞれの返却予定日を記憶した情報である。
【００８５】
たとえば、関連図書ＩＤが、「ａ１０００１１」である図書は、在庫が１冊あり、利用者はそれを当日借り受けることができる。また、すでに貸し出されている関連図書ＩＤが「ａ１０００１１」の図書の返却予定日は、「２００３／３／３１」、「２００３／４／２」、「２００３／４／３０」などであることがわかる。
【００８６】
図１１は、貸出スケジュール候補情報の一例を示す図である。この貸出スケジュール候補情報は、図１０に示した各図書の返却予定日の情報および図４に示した利用者読書ペース情報１０８ｃを基にして一時的に作成されるものである。この貸出スケジュール候補情報は、貸出スケジュール候補番号および貸出スケジュールの情報を有する。
【００８７】
貸出スケジュール候補番号は、作成された複数の貸出スケジュールの候補を識別するための番号であり、貸出スケジュールは、利用者に提案する貸出スケジュールにおける各図書の貸出予定日の情報である。
【００８８】
たとえば、貸出スケジュール候補番号が「１」の貸出スケジュールの候補では、関連図書ＩＤが「ａ１０００１１」である図書の貸出予定日は「２００３／３／２９」であり、「ａ１０００１２」である図書の貸出予定日は「２００３／４／３０」であり、「ａ１０００１３」である図書の貸出予定日は「２００３／５／３０」であることを示す。
【００８９】
この貸出スケジュールの候補を作成した当日の日付が「２００３／３／２９」である場合、関連図書ＩＤが「ａ１０００１１」である図書は、図１０に示した返却予定日の情報より在庫があることが判明するため、当日貸し出すことができる。そのため、貸出スケジュール候補情報の「ａ１０００１１」に対応する貸出スケジュールの貸出予定日は、「２００３／３／２９」となる。
【００９０】
また、関連図書ＩＤが「ａ１０００１２」である図書は、返却予定日の情報により、在庫はなく、返却予定日が、「２００３／４／１」、「２００３／４／３０」、「２００３／５／１５」などであることが判明する。
【００９１】
ここで、現在この貸出スケジュール提供サービスを利用している利用者の利用者ＩＤが「ＤＴＣ０１８２」である場合、図４に示した利用者読書ペース情報１０８ｃにより、利用者が一冊の図書を読み終えるのに必要な最小日数は、「７」日であることが確認される。
【００９２】
そのため、貸出スケジュール候補情報の「ａ１０００１２」の図書に対応する貸出予定日は、「２００３／４／１」ではなく、その次に貸し出すことのできる「２００３／４／３０」となる。「ａ１０００１３」の図書に対しても同様の処理をおこない、貸出予定日は「２００３／５／３０」となる。
【００９３】
貸出スケジュール候補番号が「２」の貸出スケジュールの候補では、関連図書ＩＤが「ａ１０００１２」である図書の貸出予定日が「２００３／５／１５」となっている点が、候補番号が「１」の貸出スケジュールと異なっている。この日付は、図１０に示した返却予定日の情報の「ａ１０００１２」の図書の返却予定日３に対応したものである。この場合においても、利用者の読書ペースに係る条件は満足されている。
【００９４】
このようにして、返却予定日の情報と利用者の読書ペースの情報とを基にして、利用者がシリーズ本を１巻から順に借り受けることができるスケジュールを作成することができ、利用者は作成されたスケジュールにしたがって図書を計画的に読むことができるようになる。
【００９５】
この例では、利用者読書ペース情報１０８ｃの最小日数の情報を制限条件として用いた場合について説明したが、利用者が一週間に読むことのできる最大ページ数を制限条件に加えて、貸出スケジュールの候補を作成することも容易にできる。
【００９６】
さらに、図書館の貸し出しに係る規定を考慮して、貸出スケジュールを作成することもできる。具体的には、一定期間内の図書の貸出回数の制限や、一回の貸し出し手続きで貸し出すことのできる図書の最大数の制限などを考慮して、その制限を越える貸出スケジュールを除外するなどの処理をおこなう。
【００９７】
また、ここでは、貸出スケジュールの作成方法の一例を示したが、貸出スケジュールの作成方法は上記のものに限定されず、その他さまざまな方法で貸出スケジュールを作成することとしてもよい。
【００９８】
次に、読書スケジュール表示画面について説明する。図１２は、読書スケジュール表示画面の一例を示す図である。この読書スケジュール表示画面は、図１１に示した貸出スケジュール候補情報を基にして貸出情報管理装置１０２により構成されたものである。そして、図書館端末装置１００ａ〜１００ｃに出力され、図書館端末装置１００ａ〜１００ｃによりそのディスプレイ上に表示される。
【００９９】
この読書スケジュール表示画面は、関連図書および関連図書読書スケジュールの情報と、読書スケジュール番号入力フィールド、「確定」ボタン、「修正」ボタン、「キャンセル」ボタン、および「他の関連図書を検索」ボタンを有する。
【０１００】
関連図書の情報は、一連の図書を選定した基準を示す情報であり、この例では、スケジューリングをおこなう対象として、「シリーズ歴史」という名称のシリーズ本を選定したことを示している。
【０１０１】
関連図書読書スケジュールの情報は、利用者に提示する貸出スケジュール（利用者の読書スケジュール）の情報であり、番号および読書スケジュールの項目を有する。番号の項目は、各読書スケジュールを識別する番号であり、読書スケジュールの項目は、シリーズに含まれる各図書を利用者に貸し出すスケジュールを提示するものである。
【０１０２】
読書スケジュールの項目には、貸し出す図書の情報、各図書を貸し出す順番、および、各図書を貸し出すことのできる貸出可能日の情報が含まれている。貸し出す図書の情報には、各図書の図書名（「日本の歴史１」など）、著者名（「○田太郎」など）、ジャンル名（「歴史」など）、および、発行日（「２００１年１月９日」など）の情報が含まれている。
【０１０３】
読書スケジュール番号入力フィールドは、提示された貸出スケジュールの候補の中から利用者により貸出スケジュールが選択された場合に、その貸出スケジュールの番号の利用者による入力を受け付ける入力フィールドである。
【０１０４】
「確定」ボタンは、利用者が読書スケジュール番号入力フィールドに選択した貸出スケジュールの番号を入力した後、その貸出スケジュールの確定を指示するためのボタンである。
【０１０５】
「修正」ボタンは、利用者が読書スケジュール番号入力フィールドに選択した貸出スケジュールの番号を入力した後、その貸出スケジュールの修正を指示するためのボタンである。この修正とは、貸出スケジュールに含まれる図書の貸出日の変更や、シリーズ本である図書の貸し出す順番の入れ替え、または、特定の図書の追加や除外などである。
【０１０６】
「キャンセル」ボタンは、提示された貸出スケジュールをすべてキャンセルすることを指示するためのボタンである。「他の関連図書を検索」ボタンは、提示された貸出スケジュールをすべてキャンセルし、他のシリーズ本を検索して貸出スケジュールの情報を再出力することを指示するためのボタンである。
【０１０７】
次に、図１に示した貸出情報管理装置１０２がおこなう図書の返却予定日更新処理の処理手順について説明する。図１３は、図１に示した貸出情報管理装置１０２がおこなう図書の返却予定日更新処理の処理手順を示すフローチャートである。
【０１０８】
同図に示すように、まず、貸出情報管理装置１０２は、利用者が図書館端末装置１００ａ〜１００ｃを操作しておこなった図書の返却予定日の変更要求を待ち受ける（ステップＳ１３０１）。そして、返却予定日の変更要求があるかどうかを調べ（ステップＳ１３０２）、変更要求がない場合には（ステップＳ１３０２，Ｎｏ）、ステップＳ１３０１に移行して、引き続き変更要求を待ち受ける。
【０１０９】
返却予定日の変更要求があった場合には（ステップＳ１３０２，Ｙｅｓ）、返却予定日情報１０８ｄの変更後返却予定日の項目に、変更後の返却予定日の日付を記憶して返却予定日情報１０８ｄを更新する（ステップＳ１３０３）。
【０１１０】
そして、ステップＳ１３０３において返却予定日が変更された図書が予約情報１０８ｅに含まれているかどうかを調べ（ステップＳ１３０４）、予約情報１０８ｅに含まれていない場合には（ステップＳ１３０４，Ｎｏ）、そのままこの返却予定日更新処理を終了する。
【０１１１】
返却予定日が変更された図書が予約情報１０８ｅに含まれている場合には（ステップＳ１３０４，Ｙｅｓ）、予約情報１０８ｅの変更後返却予定日の項目に、変更後の返却予定日の日付を記憶して予約情報１０８ｅを更新する（ステップＳ１３０５）。
【０１１２】
その後、返却予定日が変更された図書を予約していた利用者に、その図書を貸し出すことのできる貸出可能日が変更になったことを、電子メールを利用者の利用者端末装置１０３ａ〜１０３ｃに送信することにより通知する処理をおこなう（ステップＳ１３０６）。利用者は、この電子メールによる通知を受け取ることにより、図書の予約の再検討をおこなうことができる。
【０１１３】
上述してきたように、本実施の形態では、図書が返却される返却予定日に係る情報と、利用者が図書を読破する読書ペースに係る情報とに基づいて、シリーズ本の各図書を利用者に順序よく貸し出す貸出スケジュールを作成し、作成された貸出スケジュールを利用者が操作している図書館端末装置１００ａ〜１００ｃに出力し、利用者に提示することとしたので、利用者が複数の貸出物を所定の順序で容易に借り受けることができるスケジュールを利用者に提供することができる。
【０１１４】
ところで、この貸出情報管理装置１０２および貸出情報管理方法は、あらかじめ用意されたプログラムをパーソナル・コンピュータやワークステーションなどのコンピュータシステムで実行することによって実現することができる。そこで、次に、上述した貸出情報管理装置１０２（貸出情報管理方法）と同様の機能を有する貸出情報管理プログラムを実行するコンピュータシステムについて説明する。
【０１１５】
図１４は、本実施の形態に係るコンピュータシステムの構成を示すシステム構成図であり、図１５は、このコンピュータシステムに係る本体部の構成を示すブロック図である。
【０１１６】
図１４に示すように、本実施の形態に係るコンピュータシステム２００は、本体部２０１と、本体部２０１からの指示によって表示画面２０２ａに画像などの情報を表示するためのディスプレイ２０２と、このコンピュータシステム２００に種々の情報を入力するためのキーボード２０３と、ディスプレイ２０２の表示画面２０２ａ上の任意の位置を指定するためのマウス２０４とを備える。
【０１１７】
また、このコンピュータシステム２００における本体部２０１は、図１５に示すように、ＣＰＵ２２０と、ＲＡＭ２２１と、ＲＯＭ２２２と、ハードディスクドライブ（ＨＤＤ）２２３と、ＣＤ−ＲＯＭ２０７を受け入れるＣＤ−ＲＯＭドライブ２２４と、フレキシブルディスク（ＦＤ）２０６を受け入れるＦＤドライブ２２５とを備える。
【０１１８】
さらに、この本体部２０１は、ディスプレイ２０２、キーボード２０３ならびにマウス２０４を接続するＩ／Ｏインターフェース２２６と、ローカルエリアネットワークまたはワイドエリアネットワーク（ＬＡＮ／ＷＡＮ）１０１に接続するＬＡＮインターフェース２２７とを備える。
【０１１９】
また、このコンピュータシステム２００には、インターネットなどの公衆回線１０４に接続するためのモデム２０５が接続されるとともに、ＬＡＮインターフェース２２７およびＬＡＮ／ＷＡＮ１０１を介して、他のコンピュータシステム（ＰＣ）２０８、サーバ２０９ならびにプリンタ２１０などが接続される。
【０１２０】
そして、このコンピュータシステム２００は、所定の記録媒体に記録された貸出情報管理プログラムを読み出して実行することで、貸出情報管理装置１０２（貸出情報管理方法）を実現する。
【０１２１】
ここで、所定の記録媒体とは、フレキシブルディスク（ＦＤ）２０６、ＣＤ−ＲＯＭ２０７、ＭＯディスク、ＤＶＤディスク、光磁気ディスク、ＩＣカードなどの「可搬用の物理媒体」の他に、コンピュータシステム２００の内外に備えられるハードディスクドライブ（ＨＤＤ）２２３や、ＲＡＭ２２１、ＲＯＭ２２２などの「固定用の物理媒体」を含む。
【０１２２】
さらに、この記憶媒体は、モデム２０５を介して接続される公衆回線１０４や、他のコンピュータシステム２０８ならびにサーバ２０８が接続されるＬＡＮ／ＷＡＮ１０１などのように、プログラムの送信に際して短期にプログラムを保持する「通信媒体」など、コンピュータシステム２００によって読み取り可能な貸出情報管理プログラムを記録するあらゆる記録媒体を含むものである。
【０１２３】
すなわち、貸出情報管理プログラムは、上記した「可搬用の物理媒体」、「固定用の物理媒体」、「通信媒体」などの記録媒体に、コンピュータ読み取り可能に記録されるものであり、コンピュータシステム２００は、このような記録媒体から貸出情報管理プログラムを読み出して実行することにより、貸出情報管理装置１０２および貸出情報管理方法を実現する。
【０１２４】
なお、貸出情報管理プログラムは、コンピュータシステム２００によって実行されることに限定されるものではなく、他のコンピュータシステム２０８またはサーバ２０９が貸出情報管理プログラムを実行する場合や、これらが協働して貸出情報管理プログラムを実行するような場合にも、本発明を同様に適用することができる。
【０１２５】
さて、これまで本発明の実施の形態について説明したが、本発明は上述した実施の形態以外にも、上記特許請求の範囲に記載した技術的思想の範囲内において種々の異なる実施の形態にて実施されてもよいものである。
【０１２６】
例えば、本実施の形態では、利用者が図書館端末装置１００ａ〜１００ｃを操作しておこなった図書の検索要求などを受け付け、作成した貸出スケジュールを図書館端末装置１００ａ〜１００ｃに出力することとしたが、本発明はこれに限定されるものではなく、利用者が操作する利用者端末装置１０３ａ〜１０３ｃからの検索要求などを受け付け、作成した貸出スケジュールを利用者端末装置１０３ａ〜１０３ｃに出力することとしてもよい。
【０１２７】
この場合、利用者端末装置１０３ａ〜１０３ｃはＷｅｂブラウザなどを搭載し、Ｗｅｂブラウザを用いて貸出スケジュールなどのさまざまな情報の送受信をおこなうか、あるいは、電子メールでそれらの情報の送受信をおこなう。
【０１２８】
また、本実施の形態では、シリーズに含まれる一連の図書を１巻から順に貸し出す貸出スケジュールを作成することとしたが、本発明はこれに限定されるものではなく、さまざまな図書に関して、それらの図書を借り受ける順番の指定を利用者から受け付け、その順番通りに図書を貸し出す貸出スケジュールを作成することとしてもよい。
【０１２９】
他には、ある著者の図書を発表された年代順に貸し出す貸出スケジュールや、ある分野に関する図書を基礎的な内容の図書から応用的な内容の図書というように順に貸し出す貸出スケジュールを作成するような場合にも、本発明を適用することができる。
【０１３０】
さらに、本実施の形態では、図書館において利用者に図書の貸出スケジュールを提供する場合を示したが、本発明はこれに限定されるものではなく、レンタルビデオ店などにおいて、ビデオやＣＤ（Ｃｏｍｐａｃｔ  Ｄｉｓｋ）、あるいはＤＶＤ（Ｄｉｇｉｔａｌ  Ｖｅｒｓａｔｉｌｅ  Ｄｉｓｋ）などの貸出物の貸出スケジュールを利用者に提供する場合にも、同様に本発明を適用することができる。
【０１３１】
また、本実施の形態において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【０１３２】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１３３】
さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１３４】
（付記１）利用者に対する貸出物の貸し出しに係る情報を管理する貸出情報管理装置が、
前記貸出物が返却される返却予定日に係る情報に基づいて前記利用者に貸出物を所定の順序にしたがって貸し出す貸出スケジュールを作成する貸出スケジュール作成工程と、
前記貸出スケジュール作成工程により作成された貸出スケジュールを出力する貸出スケジュール出力工程と、
を実行することを特徴とする貸出情報管理方法。
【０１３５】
（付記２）前記貸出スケジュール作成工程は、前記貸出物が返却される返却予定日に係る情報に基づいて、順序関係を有する一連の貸出物を該順序にしたがって貸し出す貸出スケジュールを作成することを特徴とする付記１に記載の貸出情報管理方法。
【０１３６】
（付記３）前記貸出スケジュール作成工程は、前記貸出物が返却される返却予定日に係る情報に基づいて、前記利用者の借り受けに係る所定の条件を満足する前記貸出スケジュールを作成することを特徴とする付記１または２に記載の貸出情報管理方法。
【０１３７】
（付記４）前記貸出スケジュール作成工程は、前記貸出物が返却される返却予定日に係る情報に基づいて、前記貸し出しに係る所定の条件を満足する前記貸出スケジュールを作成することを特徴とする付記１、２または３に記載の貸出情報管理方法。
【０１３８】
（付記５）利用者に対する貸出物の貸し出しに係る情報を管理する貸出情報管理プログラムであって、
前記貸出物が返却される返却予定日に係る情報に基づいて前記利用者に貸出物を所定の順序にしたがって貸し出す貸出スケジュールを作成する貸出スケジュール作成手順と、
前記貸出スケジュール作成手順により作成された貸出スケジュールを出力する貸出スケジュール出力手順と、
をコンピュータに実行させることを特徴とする貸出情報管理プログラム。
【０１３９】
（付記６）前記貸出スケジュール作成手順は、前記貸出物が返却される返却予定日に係る情報に基づいて、順序関係を有する一連の貸出物を該順序にしたがって貸し出す貸出スケジュールを作成することを特徴とする付記５に記載の貸出情報管理プログラム。
【０１４０】
（付記７）前記貸出スケジュール作成手順は、前記貸出物が返却される返却予定日に係る情報に基づいて、前記利用者の借り受けに係る所定の条件を満足する前記貸出スケジュールを作成することを特徴とする付記５または６に記載の貸出情報管理プログラム。
【０１４１】
（付記８）前記貸出スケジュール作成手順は、前記貸出物が返却される返却予定日に係る情報に基づいて、前記貸し出しに係る所定の条件を満足する前記貸出スケジュールを作成することを特徴とする付記５、６または７に記載の貸出情報管理プログラム。
【０１４２】
（付記９）利用者に対する貸出物の貸し出しに係る情報を管理する貸出情報管理装置であって、
前記貸出物が返却される返却予定日に係る情報に基づいて前記利用者に貸出物を所定の順序にしたがって貸し出す貸出スケジュールを作成する貸出スケジュール作成手段と、
前記貸出スケジュール作成手段により作成された貸出スケジュールを出力する貸出スケジュール出力手段と、
を備えたことを特徴とする貸出情報管理装置。
【０１４３】
（付記１０）前記貸出スケジュール作成手段は、前記貸出物が返却される返却予定日に係る情報に基づいて、順序関係を有する一連の貸出物を該順序にしたがって貸し出す貸出スケジュールを作成することを特徴とする付記９に記載の貸出情報管理装置。
【０１４４】
【発明の効果】
以上説明したように、本発明によれば、貸出物が返却される返却予定日に係る情報に基づいて、利用者に貸出物を所定の順序にしたがって貸し出す貸出スケジュールを作成し、作成された貸出スケジュールを出力することとしたので、利用者が複数の貸出物を所定の順序で容易に借り受けることができるスケジュールを利用者に提供することができるという効果を奏する。
【０１４５】
また、本発明によれば、貸出物が返却される返却予定日に係る情報に基づいて、順序関係を有する一連の貸出物を、その順序にしたがって貸し出す貸出スケジュールを作成することとしたので、利用者が順序関係を有する一連の貸出物をその順序にしたがって容易に借り受けることができるスケジュールを利用者に提供することができるという効果を奏する。
【０１４６】
また、本発明によれば、貸出物が返却される返却予定日に係る情報に基づいて、利用者の借り受けに係る所定の条件を満足する貸出スケジュールを作成することとしたので、利用者の読書ペースなどを考慮した貸出物の借り受けに係る所定の条件の下で、利用者が複数の貸出物を所定の順序で容易に借り受けることができるスケジュールを利用者に提供することができるという効果を奏する。
【０１４７】
また、本発明によれば、貸出物が返却される返却予定日に係る情報に基づいて、貸し出しに係る所定の条件を満足する貸出スケジュールを作成することとしたので、貸出物を貸し出す際の制限条件などの貸し出しに係る所定の条件の下で、利用者が複数の貸出物を所定の順序で容易に借り受けることができるスケジュールを利用者に提供することができるという効果を奏する。
【図面の簡単な説明】
【図１】本実施の形態に係る貸出情報管理システムの構成を示す機能ブロック図である。
【図２】図１に示した利用者情報１０８ａの一例を示す図である。
【図３】図１に示した図書情報１０８ｂの一例を示す図である。
【図４】図１に示した利用者読書ペース情報１０８ｃの一例を示す図である。
【図５】図１に示した返却予定日情報１０８ｄの一例を示す図である。
【図６】図１に示した予約情報１０８ｅの一例を示す図である。
【図７】図１に示した貸出情報管理装置１０２がおこなう図書の貸出処理の処理手順を示すフローチャートである。
【図８】図１に示した貸出情報管理装置１０２がおこなう貸出スケジュール提供処理の処理手順を示すフローチャート（１）である。
【図９】図１に示した貸出情報管理装置１０２がおこなう貸出スケジュール提供処理の処理手順を示すフローチャート（２）である。
【図１０】各図書の返却予定日の情報の一例を示す図である。
【図１１】貸出スケジュール候補情報の一例を示す図である。
【図１２】読書スケジュール表示画面の一例を示す図である。
【図１３】図１に示した貸出情報管理装置１０２がおこなう図書の返却予定日更新処理の処理手順を示すフローチャートである。
【図１４】本実施の形態に係るコンピュータシステムの構成を示すシステム構成図である。
【図１５】図１４に示したコンピュータシステムに係る本体部２０１の構成を示すブロック図である。
【符号の説明】
１００ａ〜１００ｃ    図書館端末装置
１０１    ＬＡＮ
１０２    貸出情報管理装置
１０３ａ〜１０３ｃ    利用者端末装置
１０４    公衆回線
１０５    インターフェース部
１０６    入力部
１０７    表示部
１０８    記憶部
１０８ａ    利用者情報
１０８ｂ    図書情報
１０８ｃ    利用者読書ペース情報
１０８ｄ    返却予定日情報
１０８ｅ    予約情報
１０９    制御部
１０９ａ    予約受付部
１０９ｂ    貸出スケジュール作成部
１０９ｃ    貸出スケジュール出力部
１０９ｄ    通知出力部
【図１】
2005031943.tif 000003
【図２】
2005031943.tif 000004
【図３】
2005031943.tif 000005
【図４】
2005031943.tif 000006
【図５】
2005031943.tif 000007
【図６】
2005031943.tif 000008
【図７】
2005031943.tif 000009
【図８】
2005031943.tif 000010
【図９】
2005031943.tif 000011
【図１０】
2005031943.tif 000012
【図１１】
2005031943.tif 000013
【図１２】
2005031943.tif 000014
【図１３】
2005031943.tif 000015
【図１４】
2005031943.tif 000016
【図１５】
2005031943.tif 000017